(57)【要約】【課題】容器内容物を放出して頭部などに塗布する機能を備えたブラシなどのクリーニング（洗浄，清掃）作業の簡単化，効率化を図ることを目的とする。【解決手段】ホルダー３に保持された容器１，２はヘアスタイリング剤などの内容物を収納している。ブラシ５は、ホルダー３と一体のカバー体４に、ブラシ側の突状部５１ａとカバー体側の周回嵌合部４１ａとの係合作用によって取り付けられている。容器１，２の内容物は螺旋状通路ユニット８からブラシ５の内容物通路５３を経て外部に放出される。内容物通路５３は外側ブラシ部材５１と内側ブラシ部材５２との組み合わせにより形成されている。ブラシ５を洗浄する場合は、外側ブラシ部材５１の両端の柱状歯部５１ｅを内側に押すなどして突状部５１ａと周回嵌合部４１ａとの係合を解除した上で、外側ブラシ部材５１，内側ブラシ部材５２およびカバー体４のそれぞれを１ピースの状態にする。【選択図】図１
2005206230.tif 000002
【特許請求の範囲】
【請求項１】
複数の突起状部材からなる塗布部と、容器から供給される内容物を当該塗布部側に出力する複数の放出部とを備える塗布用具において、
容器側との、着脱可能な係合部を、その脱状態のときに前記放出部の入口部分が露出しえる態様で設け、
前記放出部を、その出口部分が前記突起状部材の先端側となる態様で設けた、
ことを特徴とする容器内容物の塗布用具。
【請求項２】
前記放出部が、前記突起状部材の内部に形成された略Ｔ字状断面の空間部である、
ことを特徴とする請求項１記載の容器内容物の塗布用具。
【請求項３】
前記放出部が、筒状部とその中から外側に突出する前記突起状部材との間に形成された空間部である、
ことを特徴とする請求項１記載の容器内容物の塗布用具。
【請求項４】
前記空間部が、前記筒状部を有する第１の本体部分と、これとは別で前記突起状部材を有する第２の本体部分との取外し自在な組み合わせにより形成されたものである、
ことを特徴とする請求項３記載の容器内容物の塗布用具。
【請求項５】
複数の突起状部材からなる塗布部と、容器から供給される内容物を当該塗布部側に出力する複数の放出部とを備え、容器側との所定の係合状態で使用される塗布用具のクリーニング方法において、
容器側との係合状態を解除して前記放出部の入口部分を露出させ、
この露出状態で、少なくとも前記放出部をクリーニングする、
ことを特徴とする容器内容物の塗布用具のクリーニング方法。
【請求項６】
請求項１乃至４記載の容器内容物の塗布用具を備え、かつ、放出用ガスおよび内容物を収容したエアゾール式製品。
【請求項７】
請求項１乃至４記載の容器内容物の塗布用具を備え、かつ、内容物を収容したポンプ式製品。
【発明の詳細な説明】
【技術分野】
【０００１】
本発明は、容器内容物の塗布用具，容器内容物の塗布用具のクリーニング方法およびこの塗布用具を備えたエアゾール式製品やポンプ式製品に関する。
【０００２】
なお、本明細書で用いる「クリーニング」の用語は、塗布用具に付着した内容物やゴミを除去するための洗浄，清掃などの任意の処理を示すものである。
【０００３】
ここで、容器内容物の塗布用具とは、複数の突起状部材からなる塗布部と、容器から供給される内容物を当該塗布部側に出力する複数の放出部とを備えたものである。例えばブラシ状のものや櫛状のものが含まれる。
【０００４】
塗布対象の容器内容物には、発泡性（泡状），液状，ペースト状，ジェル状，粉状などの各種性状のものがある。
【０００５】
本発明が適用される製品としては、ヘアスタイリング剤，ヘアトリートメント剤，染毛剤，育毛剤，化粧品，シェービングフォーム，外用薬，液滴状のもの（ビタミンなど），塗料，園芸用剤，殺虫剤，クリーナー，消臭材，ウレタンフォーム，消火器，潤滑剤などの各種用途のものがある。
【０００６】
また、動作形式としては、エアゾール式およびポンプ式の各製品を対象とする。なお、本明細書で用いる「ポンプ式」とは、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。
【背景技術】
【０００７】
従来、作動モード時に容器からの内容物が流入する内部空間（＝内容物の通路部）を備えた複数の中空櫛歯からなる、櫛形式の内容物塗布用具が用いられている（例えば、特許文献１参照）。
【０００８】
この中空櫛歯の内部空間はそれぞれの入口部分から（当該櫛歯の）長手方向に伸びる内容物通路域となっており、当該内部空間の先端側周面部分には内容物噴出用の開口部が形成されている。この入口部分はそれぞれ櫛本体の充填室と連通し、容器からの内容物はこの充填室経由で各中空櫛歯の内部空間に供給される。
【０００９】
そして、各中空櫛歯および充填室は互いに分離できない形で一体化されており、充填室に続く（中空櫛歯の）内部空間の入口部分を必要に応じて露出できるような全体構造にはなっていない。
【特許文献１】特開平８−１１７０１２号公報
【発明の開示】
【発明が解決しようとする課題】
【００１０】
このように、従来の、複数の中空櫛歯（突起状部材および放出部）を備えた容器内容物の塗布用具は、放出部とその直上流側に形成される空間域（内容物の一時的な充填室）とに分離できない構造、すなわち放出部の入口部分を露出させることができない構造になっているため、その使用にともなって（当該入口部分やこれに続く内容物通路からなる）放出部などに付着（固化）する内容物を、効率的にクリーニングしにくいという問題点があった。
【００１１】
そこで本発明では、容器から放出される内容物の最終的な出力部である塗布用具を、利用者などが必要に応じて容器本体側から取り外しでき、その取外し時には放出部の入口部分が露出する構造のものにして、特に当該入口部分近辺のクリーニング作業の確実化，効率化を図ることを目的とする。
【００１２】
また、内容物の通路である放出部を別々の部材の取り外し自在な組み合わせにより形成して、当該放出部全体にわたるクリーニング作業の確実化，効率化を図ることを目的とする。
【課題を解決するための手段】
【００１３】
本発明はこれらの課題を次のようにして解決する。
（１）複数の突起状部材からなる塗布部（例えば後述の柱状歯部５１ｄ，５１ｅ，５２ｃ，６１ｃ，６１ｄ，６２ａ）と、容器から供給される内容物を当該塗布部側に出力する複数の放出部（例えば後述の内容物通路５３，６２ｂ）とを備える塗布用具（例えば後述のブラシ５，６）において、容器側との、着脱可能な係合部（例えば後述の突状部５１ａ，６１ａ）を、その脱状態のときに前記放出部の入口部分が露出しえる態様で設け、前記放出部を、その出口部分が前記突起状部材の先端側となる態様で設ける。
（２）上記（１）において、前記放出部を、前記突起状部材（例えば後述の柱状歯部６２ａ）の内部に形成された略Ｔ字状断面の空間部（例えば後述の内容物通路６２ｂ）とする。
（３）上記（１）において、前記放出部を、筒状部（例えば後述の通路形成用筒状部５１ｃ）とその中から外側に突出する前記突起状部材（例えば後述の柱状歯部５２ｃ）との間に形成された空間部（例えば後述の内容物通路５３）とする。
（４）上記（３）において、前記空間部を、前記筒状部を有する第１の本体部分（例えば後述の外側ブラシ部材５１）と、これとは別で前記突起状部材を有する第２の本体部分（例えば後述の内側ブラシ部材５２）との取外し自在な組み合わせにより形成されたものとする。
（５）複数の突起状部材からなる塗布部と、容器から供給される内容物を当該塗布部側に出力する複数の放出部とを備え、容器側との所定の係合状態で使用される塗布用具のクリーニング方法において、容器側との係合状態を解除して前記放出部の入口部分を露出させ、この露出状態で、少なくとも前記放出部をクリーニングする。
【発明の効果】
【００１４】
本発明によれば、上記（１），（２），（３），（５）のように、容器内容物の塗布用具として、その一部に容器側との着脱自在な係合部を設け、それが取り外されて容器側から分離した状態では内容物通過用の放出部の入口部分を露出させることができる構造態様のものを用い、これにより当該入口部分などのクリーニング作業の確実化，効率化を図っている。
【００１５】
そして、内容物の放出部の出口部分を例えばブラシの柱状歯部である突起状部材の先端側の先端部や先端側周面部に設けている。例えば後述の各図で示すように当該出口部分を当該先端側周面部に設けた場合には、これにより当該出口部分へのごみなどの侵入の程度を抑えるとともに頭部などへの内容物の有効的な塗布が行えるようにしている。
【００１６】
また、上記（４）のように、この放出部を別々の部材の取り外し自在な組み合わせにより形成して、塗布用具の放出部全体にわたるクリーニング作業の一層の確実化，効率化を図っている。
【００１７】
本発明は、以上の特徴を持つ、容器内容物の塗布用具および当該塗布用具のクリーニング方法を対象とするとともに、この塗布用具を備えたエアゾール式製品やポンプ式製品なども対象にしている。
【発明を実施するための最良の形態】
【００１８】
図１乃至図５を用いて、本発明の実施の形態を説明する。
【００１９】
なお、本発明は上述のように各種タイプの内容物放出容器や塗布用具を対象とするが、以下の記載では、単なる説明の便宜上、２連缶のエアゾール式製品のブラシを前提としている。また、上下方向については、容器側を「下」とし、ブラシ側を「上」とする。
【００２０】
ここで、
図１は、ブラシ（その１）を取り付けて内容物を別々に収納したエアゾール式容器（静止モード）を容器側面の方からみたときの断面を示し、
図２は、図１のエアゾール式容器を容器正面（操作片）の方からみたときの断面を示し、
図３は、ブラシ（その１）を容器側のカバー体に取り付けた状態を示し、
図４は、ブラシ（その１）を構成する外側および内側の２部材のそれぞれとカバー体との取付け関係を示し、
図５は、ブラシ（その２）を容器側のカバー体に取り付けた状態を示している。
【００２１】
図示のエアゾール式容器は、後述のように、
・二つの容器１，２
・当該容器を保持して連結するホルダー３
・当該ホルダーに係合して、内容物混合用の螺旋状通路ユニット８に続く空間域（上述の充填室）４９などを有するカバー体４
・当該カバー体の周回嵌合部４１ａに対して取外し可能な態様で係合する突状部５１ａ，６１ａを設けた内容物塗布用のブラシ（塗布用具）５，６
・当該容器のステム１１，２１を同時に押し下げるための操作片７
などに大別される。
【００２２】
そして、カバー体４から取り外された状態のブラシ５，６は、それぞれでの放出部である内容物通路５３，６２ｂの各入口部分を露出させることができる構造になっている。
【００２３】
なお、以下の各参照番号では、原則として、二桁の数字を付したもの（例えばステム１１）はその１０位の数字が表す構成要素（例えば容器１）の一部であることを示し、また、アルファベットを付したもの（例えば周回嵌合部４１ａ）はそれを除いた数字が表す構成要素（例えば環状外壁部４１）の一部であることを示している。
【００２４】
図１乃至図５において、
１および２は異なる内容物（例えば染毛剤Ａ，Ｂ）を別々に収納した容器，
１１および２１は押し下げ操作にともなって各容器からそれぞれの内容物を出力するステム，
３はこの二つの容器を締結して保持するとともに後述のカバー体４の取付け用基部として作動するホルダー，
３１は容器固定用の（一部欠落した）環状突状部，
３２は後述の板状摘まみ部８２ｅの位置規制機能を備えた周面部，
３３は後述の可動片部４３を係止するため当該ホルダーの外周面に設けた凸状部，
４は着脱自在な形でホルダー３に取り付けたカバー体，
４１は当該カバー体の上開口側に設けた略長楕円状の環状外壁部，４１ａは後述のブラシ５を当該カバー体に着脱可能な形で取り付けるための窪み状の周回嵌合部，
４２は当該カバー体の上開口側に設けた略長楕円状の環状内壁部，４２ａは後述の内側ブラシ部材５２を受けて保持するための上面部分，４２ｂは当該環状内壁部の中側に形成された内容物通過用の開口部，
４３は当該環状外壁部と当該環状内壁部との間の環状溝部，
４４は当該カバー体の内周面に設けた一対のリブ，４４ａは後述の操作部６の回動軸を保持するため当該リブのそれぞれに形成された凹状係止部，
４５は混合通路用の筒状部， 
４６は当該カバー体の一部としての可動片部，４６ａは当該可動片部を当該カバー体と連結しているヒンジ部，４６ｂは当該カバー体をホルダー３に取り付けたときにその凸状部３３と係合する孔部，
４７は当該可動片部の移動域に形成した開口部，
４８は後述の操作片７の移動域に形成した開口部，
４９は後述の螺旋状通路ユニット８に続く空間域
５はカバー体４に着脱可能な形で保持されるブラシ（その１），
５１はカバー体４に対する着脱機能を備えた外側ブラシ部材，５１ａは内周面端部に形成されて着脱自在な態様で周回嵌合部４１ａと係合する突状部，５１ｂは天面端部に形成されてその内周面が環状内壁部４２の外周面などと当接する環状垂下部，５１ｃは表面側に設けた複数の通路形成用筒状部，５１ｄは当該筒状部の列の両側に設けた内容物通路なしの柱状歯部，５１ｅは当該筒状部の列の両端に設けた内容物通路なしの柱状歯部，
５２は環状内壁部４２に載置・保持される内側ブラシ部材，５２ａは環状内壁部４２の上面部分４２ａに対応する鍔状部，５２ｂは当該鍔状部の下側に続く筒状部，５２ｃはそれぞれ当該筒状部の内周面と一体になっており組立時には通路形成用筒状部５１ｃに入り込む柱状歯部，５２ｄは当該柱状歯部のそれぞれと当該筒状部５２ｂとを列方向に一体化する補強用の連結片，５２ｅは当該筒状部５２ｂの中（当該筒状部と当該連結片との間）に形成される内容物通過用の（図示の場合は１２個の）空隙，
５３は通路形成用筒状部５１ｃと柱状歯部５２ｃとの間に形成される内容物通路，
６はカバー体４に着脱可能な形で保持されるブラシ（その２），
６１はカバー体４に対する着脱機能を備えた外側ブラシ部材，６１ａは内周面端部に形成されて着脱自在な態様で周回嵌合部４１ａと係合する突状部，６１ｂは天面端部に形成されてその外周面が環状内壁部４２の内周面と当接する環状垂下部，６１ｃは後述の内容物通路付きの柱状歯部６２ａの列の両側に設けた内容物通路なしの柱状歯部，６１ｄは当該柱状歯部６２ａの列の両端に設けた内容物通路なしの柱状歯部，６１ｅは後述の内側ブラシ部材６２の全体を受けて保持するための窪地状凹部，６１ｆは後述の筒状基部６２ｃを入れて嵌合させるために当該窪地状凹部に形成した孔部，
６２は外側ブラシ部材６１に固定した状態で使用される内側ブラシ部材，６２ａは表面に一列の態様で設けた内容物通路付きの柱状歯部，６２ｂは当該柱状歯部の内部に形成された（長手方向の通路域とその先端部分から直角の２方向に分かれる通路域とからなる）略Ｔ字状断面の内容物通路，６２ｃは（図５の上下方向の）断面が当該内容物通路と同様の略円状で孔部６１ｆに嵌合して当該内容物通路の入口部分を構成する筒状基部，６２ｄは当該筒状基部の下端側に形成されて外側ブラシ部材６１の天井面部分と係合するテーパ付き突状部，
７は後述の螺旋状通路ユニット８を介してステム１１，２１を同時に下動させる操作片，
７１は利用者の指操作部，
７２は回動動作により後述の蓋部８１を押し下げる機能を持つ（混合通路用の筒状部４５を囲う）枠状の押圧用部材，７２ａは当該蓋部に作用する膨出部，
７３は当該押圧用部材の回動軸，
７４は当該指操作部の下動と当該押圧用部材の回動との各動作のいわばインタフェース部として作用する薄肉部分，
８はステム１１，２１およびカバー体４（混合通路用の筒状部４５）に嵌合した内容物混合用の螺旋状通路ユニット，
８１は上面が略長楕円状の平坦部分で当該螺旋状通路ユニットの上側を構成する蓋部，８１ａは当該蓋部の上面中央部分に形成した筒状部， 
８２は当該蓋部とヒンジ結合で嵌合状態の底部，８２ａおよび８２ｂは当該底部の下面側に形成されてステム１１および１２と嵌合する筒状部，８２ｃおよび８２ｄは当該筒状部に続く部分に形成した内容物通過用の孔部，８２ｅは当該底部の下面中央部分に形成した板状摘まみ部，８２ｆは後述の板状仕切り部８３ａを取り外し可能な形で結合させるための凹状部，
８３は内容物混合用の通路部材，８３ａは板状仕切り部，８３ｂはステム１１に対応した第１の螺旋状通路部，８３ｃはステム１２に対応した第２の螺旋状通路部，
８４は蓋部８１，底部８２および板状仕切り部８３ａによって形成される図示左側の（ステム１１に続く）第１の通路空間域，
８５は蓋部８１，底部８２および板状仕切り部８３ａによって形成される図示右側の（ステム２１に続く）第２の通路空間域，
をそれぞれ示している。
【００２５】
なお、ホルダー３，カバー体４，ブラシ５，ブラシ６および操作片７の材質は例えばＰＰ（ポリプロピレン）であり、螺旋状通路ユニット８の材質は例えばＨＤＰＥ（高密度ポリエチレン）である。
【００２６】
ブラシ５，６の突状部５１ａ，６１ａとカバー体４の周回嵌合部４１ａとは、それぞれの変形・復帰性状に基づいて取り外し可能な態様で係合している。
【００２７】
利用者などがブラシ５をカバー体４から取り外す場合、例えば、
(1) 両側の柱状歯部５１ｅ（や５１ｄ）をそれぞれ内側に押すようにしながら外側ブラシ部材５１の突状部５１ａをカバー体４の周回嵌合部４１ａから離脱させ、
(2) 次に、柱状歯部５２ｃなどを持ち上げて内側ブラシ部材５２を環状内壁部４２から離脱させればよい。
【００２８】
これにより、内容物通路５３の構成要素である外側ブラシ部材５１および内側ブラシ部材５２は完全にカバー体４の環状外壁部４１や環状内壁部４２から分離した単一ピースとなり、カバー体も含めてそれぞれのクリーニング処理、特に当該内容物通路のクリーニング処理を容易に、また効率的に行うことができる。
【００２９】
また、ブラシ６をカバー体４から取り外す場合も、同様に、 両側の柱状歯部６１ｅ（や６１ｃ）をそれぞれ内側に押すようにしながら外側ブラシ部材６１の突状部６１ａをカバー体４の周回嵌合部４１ａから離脱させる。
【００３０】
この離脱状態では、外側ブラシ部材６１と、内容物通路６２ｂが形成された柱状歯部６２ａを設けた内側ブラシ部材６２とが、テーパ付き突状部６２ｄの作用により一体化している。
【００３１】
この内側ブラシ部材６２を外側ブラシ部材６１から分離するには、例えば当該内側ブラシ部材の筒状基部６２ｃの下端側を内容物の出口への方向に押し上げて、テーパ付き突状部６２ｄと当該外側ブラシ部材の天井面部分との係合状態を解除すればよい。
【００３２】
これにより、外側ブラシ部材６１および内側ブラシ部材６２は完全にカバー体４の環状外壁部４１や環状内壁部４２から分離した単一ピースとなり、カバー体も含めてそれぞれのクリーニング処理、特に内容物通路６２ｂを備えた内側ブラシ部材のクリーニング処理を容易に、また効率的に行うことができる。
【００３３】
このように、ブラシ５，６をカバー体４から取り外してそれぞれでの放出部である内容物通路５３，６２ｂの各入口部分を露出させた上で、当該内容物通路などをクリーニングする。
【００３４】
クリーニング終了後などにブラシ５，６をカバー体４に取り付けて元の状態にするには、例えばそれぞれのブラシを取り外したときの手順を逆の順番で実行すればよい。
【００３５】
すなわち、ブラシ５の場合は、内側ブラシ部材５２を環状内壁部４２の中に入れてその上面部分４２ａに鍔状部５２ａを載置し、外側ブラシ部材５１を環状外壁部４１に嵌めてその周回嵌合部４１ａに突状部５１ａを係合させる。
【００３６】
また、ブラシ６の場合は、内側ブラシ部材６２を上方から外側ブラシ部材６１に差し込んでその孔部６１ｆに突状部６２ｄを係合させ、外側ブラシ部材６１を環状外壁部４１に嵌めてその周回嵌合部４１ａに突状部６１ａを係合させる。
【００３７】
この着脱自在なブラシ５，６は、図示の２連缶の場合だけを対象とするものではなく、単一缶の場合にも適用できることは勿論である。
【００３８】
ただ、別々の缶からの異なる内容物（例えば容器１の染毛剤Ａと容器２の染毛剤Ｂ）の混合物が供給されるブラシにおいては、混合の程度や混合時の反応などにともなってその内容物通路に内容物がより残留（固化）しやすいケースがある。このような場合、カバー体４から取り外して内容物通路５３，６２ｂの各入口部分を露出させることできる本発明のブラシ５，６は、そのクリーニング作業の点で一層有効なものとなる。
【００３９】
ブラシ５，６をカバー体４から取り外すときのいわば取っ掛かりとなり得るベロや凹みを外側ブラシ部材５１，６１の外周面などに設けてもよい。また、外側ブラシ部材５１，６１の下端側にスリットを形成して、ブラシ５，６を取り外す際に当該外側ブラシ部材が多少変形しやすく、すなわちそれぞれの突状部５１ａ，６１ａがカバー体４の周回嵌合部４１ａから外れやすいようにしてもよい。
【００４０】
ブラシ５，６はそれぞれの外側ブラシ部材５１，６１と内側ブラシ部材５２，６２とを１ピースにした態様のものでもよい。
【００４１】
ブラシ６（柱状歯部６２ａ）の内容物通路６２ｂを長手方向通路域のみからなるもの、すなわち上述の直角の２方向に分かれる通路域を設けずに、当該柱状歯部の先端部が出口部分となるものにしてもよい。
【００４２】
なお、後述のように、内容物混合用の螺旋状通路ユニット８もカバー体４から取り外してその内容物通路域などを露出させることができ、上述のブラシ５，６のクリーニング対応構造と相まって、ステム出力部からブラシ出力までの内容物通路部分全体のクリーニング処理が効率的に行える。
【００４３】
エアゾール式容器は、図１および図２の静止モードでは、周知のごとく、ステム１１および２１は容器内のスプリング（図示省略）の作用により上方向に付勢され、その出力用孔部（図示省略）がステムラバー（図示省略）で塞がれている。容器１，２の各内容物は勿論ステム１１，２１から出力されない。
【００４４】
このとき、嵌合作用によりステム１１，２１と一体化している螺旋状通路ユニット８や当該ユニットの蓋部８１の上に膨出部７２ａが載置された形の操作片７も、この容器内スプリングの付勢力により上動している。
【００４５】
操作片７を押し下げた作動モードでは、
(11) 回動軸７３を中心に図１の時計方向に回動する押圧用部材７２（膨出部７２ａ）の作動によって蓋部８１およびステム１１，２１が下動し、
(12)ステム１１，２１の各弁作用部（図示省略）がそれぞれ個々に開き、
(13)容器１の内容物はステム１１−孔部８２ｃ−第１の通路空間域８４−通路部材８３の第１の螺旋状通路部８３ｂを通り、また、容器２の内容物はステム１２−孔部８２ｄ−第２の通路空間域８５−通路部材８３の第２の螺旋状通路部８３ｃを通り、
(14)当該内容物は通路部材８３で混合されながらブラシ５，６の入力側である空間域４９へと移動し、
(15)当該内容物はこの空間域４９からブラシ５の空隙５２ｅ，内容物通路５３やブラシ６の内容物通路６２ｂを通過して外部空間側へと放出される。
【００４６】
操作片７は、薄肉部分７４の作用により、その内面の一部がカバー体４の外周面にガイドされる態様で変形する。
【００４７】
また、
・カバー体４の環状内壁部４２と、ブラシ５（外側ブラシ部材５１）の環状垂下部５１ｂおよび内側ブラシ部材５２の筒状部５２ｂなどとの当接部分
・カバー体４の環状内壁部４２と、ブラシ６（外側ブラシ部材６１）の環状垂下部６１ｂとの当接部分
などはそれぞれ内容物のシール部として作用する。
【００４８】
上述したように、螺旋状通路ユニット８を容器１，２およびカバー体４から分離して取り外すことができる。これにより、当該ユニットの内容物通路部分のクリーニングも簡単に行なえる。
【００４９】
この取り外し作業の手順は次のようになる。
(21)可動片部４６のヒンジ部４６ａより上方の部分を内側（図２の矢印方向）に押圧して、その孔部４６ｂとホルダー３の凸状部３３との係合状態を解除する。
(22)この解除後のカバー体４を持ち上げるなどして、当該カバー体およびこれと（ステム１１，１２に対するよりも強く）結合している螺旋状通路ユニット８からなる一体化部分を、ホルダー３および容器１，２から分離する。
(23)この分離後の一体化部分（のカバー体４）から板状摘まみ部８２ｅを持って下方に引き出すことにより、カバー体４と螺旋状通路ユニット８とを別々にする。
【００５０】
また、板状摘まみ部８２ｅを引っ張ることにより、螺旋状通路ユニット８の蓋部８１を、これとヒンジ結合して嵌合状態の底部８２から開いた形にできる。
【００５１】
板状摘まみ部８２ｅは内容物の通路部分ではなく内容物も付着していないので、利用者がこれらの作業において手などを汚すことはない。
【００５２】
また、ホルダー３との係合解除後のカバー体４を例えば持ち上げて当該ホルダーから分離する際に、螺旋状通路ユニット８の筒状部８２ａ，８２ｂと容器１，２のステム１１，２１の結合状態が解除されずに、当該ユニットが当該ステムの側に残るようなことは生じない。それは、カバー体４の筒状部４５と筒状部８１ａとの結合の程度を容器１，２のステム１１，２１と筒状部８２ａ，８２ｂとのそれよりも強くしているからである。
【００５３】
容器１,２,ホルダー３，カバー体４，操作片７および螺旋状通路ユニット８などを組み立てる際の手順は例えば次のようになる。
(31)ホルダー３の環状突状部３１に容器１,２を取り付ける。
(32)カバー体４に、操作片７を開口部４８から入れて取り付ける。
(33)この取付け後のカバー体４の筒状部４５および操作片７の押圧用部材７２（の枠内）に下方から螺旋状通路ユニット８を入れて、当該螺旋状通路ユニットの筒状部８１ａをカバー体４の筒状部４５に係合させる。
(34)この係合後のカバー体４および螺旋状通路ユニット８などを容器１，２およびホルダー３のその上方から差し込んで、当該カバー体の孔部４６ｂが当該ホルダーの凸状部３３と係合し、当該ユニットの底部８２の筒状部８２ａおよび８２ｂが当該容器のステム１１および２１と嵌合した状態にする。なお、(31)の取付けは(34)の処理までの任意の段階で行えばよい。
【００５４】
一般にエアゾール式製品やポンプ式製品などの内容物には、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００５５】
上記容器１，２の内容物としては、例えば、
・染毛剤Ａには、パラフェニレンジアミン，アミノフェノール，トルエン−２，４−ジアミン等の染料中間体、アンモニア，モノエタノールアミン等のアルカリ剤、ラウリル硫酸ナトリウム等のアニオン性界面活性剤、ポリオキシエチレンオレイルエーテル等の非イオン性界面活性剤、ラウリルジメチルアミノ酢酸ベタイン等の両性界面活性剤、塩化アルキルトリメチルアンモニウム等のカチオン性界面活性剤、亜硫酸塩，メチルセルロース等の粘度調整剤、アスコルビン酸等の安定剤などを用い、
・染毛剤Ｂには、過酸化水素などの酸化剤、フェナセチン，ＥＤＴＡ等の安定剤、リン酸，クエン酸等のｐＨ調整剤などを用いる。
【００５６】
エアゾール式製品の放出用ガスには、ＬＰＧ，ジメチルエーテル，フルオロカーボン，炭酸ガス，窒素ガス，圧縮空気，酸素ガス，希ガス，これらの混合ガスなどを用いる。
【図面の簡単な説明】
【００５７】
【図１】本発明の、ブラシ（その１）を取り付けて内容物を別々に収納したエアゾール式容器（静止モード）を容器側面の方からみたときの断面を示す説明図である。
【図２】本発明の、図１のエアゾール式容器を容器正面（操作片）の方からみたときの断面を示す説明図である。
【図３】本発明の、ブラシ（その１）を容器側のカバー体に取り付けた状態を示す説明図である。
【図４】本発明の、ブラシ（その１）を構成する外側および内側の２部材のそれぞれとカバー体との取付け関係を示す説明図である。
【図５】本発明の、ブラシ（その２）を容器側のカバー体に取り付けた状態を示す説明図である。
【符号の説明】
【００５８】
１：染毛剤Ａを収納した容器
１１：ステム
２：染毛剤Ｂを収納した容器
２１：ステム
３：ホルダー
３１：環状突状部
３２：周面部
３３：凸状部
４：カバー体
４１：環状外壁部
４１ａ：周回嵌合部
４２：環状内壁部
４２ａ：上面部分
４２ｂ：内容物通過用の開口部
４３：環状溝部
４４：一対のリブ
４４ａ：凹状係止部
４５：混合通路用の筒状部 
４６：可動片部
４６ａ：ヒンジ部
４６ｂ：孔部
４７：開口部
４８：開口部
４９：空間域
５：ブラシ（その１）
５１：外側ブラシ部材
５１ａ：突状部
５１ｂ：環状垂下部
５１ｃ：通路形成用筒状部
５１ｄ：内容物通路なしの柱状歯部
５１ｅ：内容物通路なしの柱状歯部
５２：内側ブラシ部材
５２ａ：鍔状部
５２ｂ：筒状部
５２ｃ：柱状歯部
５２ｄ：補強用の連結片
５２ｅ：空隙
５３：内容物通路
６：ブラシ（その２）
６１：外側ブラシ部材
６１ａ：突状部
６１ｂ：環状垂下部
６１ｃ：内容物通路なしの柱状歯部
６１ｄ：内容物通路なしの柱状歯部
６１ｅ：窪地状凹部
６１ｆ：孔部
６２：内側ブラシ部材
６２ａ：内容物通路付きの柱状歯部
６２ｂ：略Ｔ字状断面の内容物通路
６２ｃ：筒状基部
６２ｄ：テーパ付き突状部，
７：操作片
７１：指操作部
７２：枠状の押圧用部材
７２ａ：膨出部
７３：回動軸
７４：薄肉部分
８：内容物混合用の螺旋状通路ユニット
８１：蓋部
８１ａ：筒状部 
８２：底部
８２ａ，８２ｂ：筒状部
８２ｃ，８２ｄ：内容物通過用の孔部
８２ｅ：板状摘まみ部
８２ｆ：凹状部
８３：内容物混合用の通路部材
８３ａ：板状仕切り部
８３ｂ：第１の螺旋状通路部
８３ｃ：第２の螺旋状通路部
８４：第１の通路空間域
８５：第２の通路空間域
【図１】
2005206230.tif 000003
【図２】
2005206230.tif 000004
【図３】
2005206230.tif 000005
【図４】
2005206230.tif 000006
【図５】
2005206230.tif 000007